【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
電気化学電池に基づくエネルギー貯蔵装置の製造方法であって、
a）水性電解質との混合物となっている活性な材料を含む電極としての使用に適した印刷可能な組成物を提供し；
b）電流コレクターの一方の面に第一のテンプレートを配置し、ここで、前記第一のテンプレートは、前記印刷可能な組成物が浸透可能な領域と前記組成物が浸透不可能な被覆された領域から成るシートの形態で提供され、ここで、前記第一のテンプレートの前記被覆された領域は、その縁を含み；
c）前記第一のテンプレートを通して、前記電流コレクターの前記面上に前記印刷可能な組成物を塗布し、それにより、その上に明確な電極領域を形成し；
d）工程b）とc）を繰り返し、工程c）の電流コレクターと同一の第二の電流コレクターを製造し；
e）多孔質フィルム又は膜である分離媒体の1つの面に第二のテンプレートを配置し、ここで、前記第二のテンプレートは、被覆された領域と被覆されていない領域から成るシートの形態で提供され、ここで、前記第二のテンプレートは、前記第一のテンプレートと本質的に相補的であり、前記第二のテンプレート上の前記被覆された領域は、第一のテンプレートの浸透可能な領域に一致し；
f）電流コレクター上の電極が印刷されていない領域と一致する前記分離媒体の領域におけるその微細孔を封鎖し、続いて、前記第二のテンプレートの被覆されていない領域を通して、前記分離媒体の前記面上に一つ以上の接着剤を塗布し；
g）前記分離媒体の接着剤面を第一の電流コレクターに接着させ、前記分離媒体の前記面上の被覆されていない領域を位置、幾何学的形態、及び大きさに関して、前記第一の電流コレクターの面上に印刷された電極に一致させ；
h）前記分離媒体の第二の面について工程e）及びf）を繰り返し；
i）前記セパレーターの前記第二の面上に前記第二の電流コレクターを配置し、前記セパレーターの前記第二の面上の被覆されていない領域を位置、幾何学的形態、及び大きさに関して、前記第二の電流コレクターの面上に印刷された電極に一致させる：
工程を含む前記方法。
【請求項２】
電極の製造に使用される印刷可能な組成物が、大きな表面積の活性炭粒子及び水性電解質を含み、前記活性炭粒子と電解質水溶液との重量比が、1：8から1：20の範囲である請求項１に記載の方法。
【請求項３】
印刷可能な組成物が、
（i）ヒュームド・シリカ、大きな表面積のアルミナ、粘土、ガラス球、及びセラミックスから成る群より選ばれる一つ以上の添加剤、及び
(ii)一つ以上の水酸基含有化合物
をさらに含む請求項２に記載の方法。
【請求項４】
印刷可能な組成物が、ヒュームド・シリカとアルコール若しくはポリオール又はこれらの混合物から成る群より選ばれる一つ以上の水酸基含有化合物とを含む請求項３に記載の方法。
【請求項５】
印刷可能な組成物が、ハロゲン化アルカリ塩をさらに含む請求項４に記載の方法。
【請求項６】
ポリオールがプロピレングリコールであり、塩がNaClである請求項５に記載の方法。
【請求項７】
分離媒体が多孔質フィルムの形態で提供されたセパレーターであり、ここで、第二のテンプレートの被覆されていない領域を通して、適切な封止剤を前記セパレーターの面上に塗布し、前記封止剤を急速に硬化させることによって、電流コレクター上の電極が印刷されていない領域と一致する前記セパレーターの領域におけるその微細孔を封鎖する請求項１に記載の方法。
【請求項８】
封止剤が紫外線硬化材料で作られている請求項７に記載の方法。
【請求項９】
工程（i）の後に得られた積層構造から個々の二重層コンデンサーを分離するか、又は前記積層構造を双極性配置に変えて、その後、そこから個々の双極性コンデンサーを分離するかのいずれかをさらに含む二重層コンデンサーを製造するための請求項１に記載の方法。
【請求項１０】
互いに平行に配置された少なくとも一対の電流コレクタープレート、前記電流コレクターの対向面に印刷された水性電解質を含む平たい電極（周辺領域が前記電流コレクターの前記面のそれぞれの上で明確化され、その領域は前記電極によって覆われていない）、及び前記電極の間に差し挟まれたセパレーター（前記セパレーターの幾何学的形態及び大きさは、前記電流コレクタープレートの形態及び大きさと同一であり、前記セパレーターは、前記電解質が浸透可能な中央領域を有し、前記電解質が浸透不可能な周辺の被覆された領域に取り囲まれており、前記セパレーターの浸透可能な領域は、位置、幾何学的形態、及び大きさに関して、前記電流コレクターの対向面上に印刷された電極と一致する）を含む二重層コンデンサーであって、ここで、セパレーターの周辺領域における微細孔は、適切な封止剤が含浸しており、前記周辺領域において前記封止剤上に一つ以上の接着剤層が被着している二重層コンデンサー。
【請求項１１】
セパレーターの微細孔を封鎖する封止剤が、印刷可能で急速に硬化する材料で作られている請求項１０に記載のコンデンサー。
【請求項１２】
セパレーターの周辺領域におけるセパレーターの微細孔に含浸した封止剤が、ホットメルト接着剤、溶媒をベースとした接着剤、ポリウレタン、シリコーン、シアノアクリレート、PVC接着剤、アクリル接着剤、紫外線に基づく接着剤、水をベースとした糊、多硫化ゴム又は合成ゴム、フェノール樹脂、感圧接着剤、紫外線硬化の感圧接着剤及び溶媒をベースとした感圧接着剤から成る群より選ばれる請求項１０記載のコンデンサー。
【請求項１３】
セパレーターの周辺領域におけるセパレーターの微細孔に含浸した封止剤が、スクリーン印刷するかスプレーすることによって液体媒体を用いて該微細孔に運ばれた請求項１０記載のコンデンサー。
【請求項１４】
セパレーターの周辺領域におけるセパレーターの微細孔に含浸した封止剤が、該微細孔に溶融して流れ込んだ高分子を含む請求項１０記載のコンデンサー。
【請求項１５】
電解質が浸透不可能な周辺の被覆された領域が、前記周辺領域において熱及び／又は圧力をかけてセパレーターの微細孔の構造を崩壊させることにより得られたものである請求項１０記載のコンデンサー。
【請求項１６】
互いに平行に配置された少なくとも一対の電流コレクタープレート、前記電流コレクターの対向面に印刷された水性電解質を含む平たい電極（周辺領域が前記電流コレクターの前記面のそれぞれの上で明確化され、その領域は前記電極によって覆われていない）、及び前記電極の間に差し挟まれたセパレーター（前記セパレーターの幾何学的形態及び大きさは、前記電流コレクタープレートの形態及び大きさと同一であり、前記セパレーターは、前記電解質が浸透可能な中央領域を有し、前記電解質が浸透不可能な周辺の被覆された領域に取り囲まれており、前記セパレーターの浸透可能な領域は、位置、幾何学的形態、及び大きさに関して、前記電流コレクターの対向面上に印刷された電極と一致する）を含む二重層コンデンサーであって、ここで、電極は、炭素粒子、水性電解質、無機充填剤（ヒュームド・シリカ、大きな表面積のアルミナ、ベントナイト、ガラス球、及びセラミックスから成る群より選ばれる）、及び一つ以上の水酸基含有化合物（好ましくはアルコール又はポリオール）を含み、水酸基が、C1-C7アルキル、C2-C7アルケニル、C3-C7アルキニル、又はC3-C7炭素環基に結合しており、場合によってはハロゲン化アルキル塩を含む二重層コンデンサー。
【請求項１７】
無機充填剤がヒュームド・シリカであり、水酸基含有化合物がプロピレングリコールであり、塩がNaClであるような請求項１６に記載のコンデンサー。
【請求項１８】
請求項１０から１７のいずれかに記載のコンデンサーの形態の基本電池を含む双極性電気化学コンデンサー。